(57)【要約】【課題】チップレスＲＦＩＤタグをリアルタイムで符号化する。【解決手段】方法は、チップレスＲＦＩＤトランスポンダを導電性材料に暴露するステップを含み、ＲＦＩＤトランスポンダは、アンテナと、複数の共振構造とを備え、複数の共振構造は、ともに第１のスペクトルシグネチャを規定する。複数の共振構造の各々は、それぞれの周波数領域を含む。方法は、少なくとも１つの共振構造を短絡させるために、少なくとも１つの共振構造上に導電性材料を堆積させるステップをも含む。複数の共振構造のうち、導電性材料によって短絡されない残りの共振構造は、ＲＦＩＤトランスポンダの第２のスペクトルシグネチャを規定する。【選択図】図２
2020098628.tif 000002
【特許請求の範囲】
【請求項１】
チップレスＲＦＩＤタグをリアルタイムで符号化するための方法であって、
チップレスＲＦＩＤトランスポンダを導電性材料に暴露するステップを含み、前記ＲＦＩＤトランスポンダは、
アンテナと、ともに第１のスペクトルシグネチャを規定する複数の共振構造とを備え、前記複数の共振構造の各々は、それぞれの周波数領域を含み、
前記暴露するステップは、少なくとも１つの前記共振構造を短絡させるために、前記少なくとも１つの前記共振構造上に前記導電性材料を堆積させるステップを含み、
前記複数の共振構造のうちの、前記導電性材料によって短絡されない残りの前記共振構造は、前記ＲＦＩＤトランスポンダの第２のスペクトルシグネチャを規定する、方法。
【請求項２】
前記少なくとも１つの前記共振構造上に前記導電性材料を堆積させるステップは、前記ＲＦＩＤトランスポンダの前記第１のスペクトルシグネチャを変化させる、請求項１に記載の方法。
【請求項３】
在庫を追跡する方法であって、
チップレスＲＦＩＤトランスポンダを製品上に配置するステップであり、前記ＲＦＩＤトランスポンダは、
ともに第１のスペクトルシグネチャを規定する複数の共振構造を備え、前記複数の共振構造の各々は、それぞれの周波数領域を含む、配置するステップと、
その後、少なくとも１つの前記共振構造を短絡させるために、前記少なくとも１つの前記共振構造上に導電性インクを堆積させるステップであって、前記複数の共振構造のうちの、前記導電性インクによって短絡されない残りの前記共振構造は、前記ＲＦＩＤトランスポンダの第２のスペクトルシグネチャを規定する、堆積させるステップと
を含む、方法。
【請求項４】
在庫を追跡する方法であって、
チップレスＲＦＩＤトランスポンダを提供するステップであり、前記ＲＦＩＤトランスポンダは、
ともに第１のスペクトルシグネチャを規定する複数の共振構造を備え、前記複数の共振構造の各々は、それぞれの周波数領域を含む、提供するステップと、
少なくとも１つの前記共振構造を短絡させるために、前記少なくとも１つの前記共振構造上に導電性材料を堆積させるステップであって、前記複数の共振構造のうちの、前記導電性インクによって短絡されない残りの前記共振構造は、前記ＲＦＩＤトランスポンダの第２のスペクトルシグネチャを規定する、堆積させるステップと、
前記ＲＦＩＤトランスポンダを製品上に配置するステップと、
前記導電性材料が堆積された後に、前記ＲＦＩＤトランスポンダを製品上に配置するステップと
を含む、方法。
【請求項５】
前記導電性材料は導電性薄膜を含む、請求項４に記載の方法。
【請求項６】
チップレスＲＦＩＤトランスポンダであって、
アンテナと、ともに前記ＲＦＩＤトランスポンダのスペクトルシグネチャを規定する複数の共振構造であって、前記複数の共振構造の各々は、それぞれの周波数領域を含む、複数の共振構造と、
少なくとも１つの前記共振構造上に堆積されている導電性材料であって、前記導電性インクは前記少なくとも１つの前記共振構造を短絡させ、前記ＲＦＩＤの前記スペクトルシグネチャは、前記短絡された共振構造の自然周波数からシフトされる、導電性材料と
を備える、チップレスＲＦＩＤトランスポンダ。
【請求項７】
前記導電性材料は所定のパターンの導電性インクを含む、請求項６に記載のチップレスＲＦＩＤトランスポンダ。
【請求項８】
ＲＦＩＤトランスポンダの少なくとも１つの共振構造上に導電性材料を堆積させるためのプリンタと、
前記プリンタと通信している少なくとも１つのコントローラと
を備える、製品識別システムであって、
前記コントローラは、
データおよび命令を記憶するための少なくとも１つのメモリと、
前記少なくとも１つのメモリにアクセスし、命令を実行するように構成されている少なくとも１つのプロセッサと
を備え、前記命令は、
前記少なくとも１つのメモリから識別データを取り出すことであって、前記識別データは、製品の識別情報に対応する、取り出すことと、
チップレスＲＦＩＤトランスポンダの設計データを取り出すことであって、前記設計データは、前記チップレスＲＦＩＤトランスポンダの複数の共振構造の各々に対応する周波数領域情報を含む、取り出すことと、
前記識別データおよび前記設計データに基づいてコードを生成することと、
スペクトルシグネチャを前記コードと関連付けることと、
前記設計データから、前記複数の共振構造のいずれがともに前記スペクトルシグネチャを規定するか、および、前記複数の共振構造のいずれが前記スペクトルシグネチャに寄与しないかを識別することによって、パターンデータを生成することと、
前記ＲＦＩＤトランスポンダの前記少なくとも１つの共振構造が前記スペクトルシグネチャ外の領域に周波数シフトされるように、前記導電性材料が前記ＲＦＩＤトランスポンダの前記少なくとも１つの共振構造を短絡させるように、前記パターンデータに従って前記導電性材料を堆積させるために前記プリンタを起動することと
を含む、製品識別システム。
【請求項９】
前記導電性材料は、キャリア内に分散されている粒子を含む導電性インクを含み、前記粒子は、銅またはアルミニウムから選択される少なくとも１つの材料を含む、請求項８に記載のシステム。
【請求項１０】
汎用ＲＦＩＤトランスポンダをカスタマイズするための方法であって、
前記汎用ＲＦＩＤトランスポンダの少なくとも１つの共振構造を導電性材料に暴露するステップと、
前記少なくとも１つの共振構造上に導電性材料を堆積させることによって、前記ＲＦＩＤトランスポンダの少なくとも１つの共振構造の共振を変化させるステップと
を含み、
前記変化させるステップは、前記共振構造の共振が第１の共振から第２の共振へとシフトするように、前記共振構造を電気的に短絡させるステップを含む、
方法。
【発明の詳細な説明】
【技術分野】
【０００１】
本明細書において説明されている実施形態は、概して、カスタマイズチップレス無線周波数識別（ＲＦＩＤ）タグ、チップレスＲＦＩＤタグを作成および使用する方法、ならびにカスタマイズチップレスＲＦＩＤタグを作成するためのシステムに関する。
【背景技術】
【０００２】
無線周波数識別（ＲＦＩＤ）技術は、情報を記憶および送信するためのデバイスとして非常に大きい需要を得ている。ＲＦＩＤ技術は、物体上に配置されるタグトランスポンダと、本明細書においては質問機とも称される、タグを読み取り識別するための読み取り機とを利用する。ＲＦＩＤ技術は、広義には「アクティブ」タグまたは「パッシブ」タグのいずれかを使用するものとして分類される。アクティブタグはローカル電源（電池など）を有し、それによって、アクティブタグは、質問機によって読み取られることになる信号を送信する。アクティブタグは、より長い信号範囲を有する。「パッシブ」タグは、対照的に、内部電源を有しない。代わりに、パッシブタグは、読み取り機から電力を導出し、パッシブタグは、読み取り機から信号を受信すると、情報を再送信または応答送信する。パッシブタグは、信号範囲がはるかにより短い（一般的に２０フィート未満）。
【０００３】
両方のカテゴリのタグが、集積回路またはシリコンチップの形態である電子回路を有する。回路は、識別データを記憶し、読み取り機に通信する。チップに加えて、タグは、チップに電気的に接続されている何らかの形態のアンテナを含む。アクティブタグは、タグ自体の電源から読み取り機と通信するアンテナを組み込んでいる。パッシブタグについては、アンテナは、読み取り機に由来する無線周波数（ＲＦ）エネルギーを電力に変換するためのトランスデューサとして機能する。その後、チップはエネルギー供給され、読み取り機との通信機能を実施する。
【０００４】
他方、チップレスＲＦＩＤタグは、集積回路も、トランジスタまたはコイルのような個別の電子構成要素も有しない。この特徴は、チップレスＲＦＩＤタグが、従来のＲＦＩＤタグよりも低いコストで基板上に直接印刷されることを可能にする。
【０００５】
実際に、ＲＦＩＤ技術は、光信号よりもはるかに良好な、材料に対する侵入特性を有する無線周波数を使用し、バーコードラベルよりも、より不利な環境条件下で作動する。それゆえ、ＲＦＩＤタグは、塗料、水、土砂、塵芥、人体、コンクリートを通して、または、タグ付けされた品目自体を通して読み取ることができる。ＲＦＩＤタグは、在庫管理、有料道路上の車の自動識別、セキュリティシステム、電子アクセスカード、キーレスエントリなどに使用することができる。
【発明の概要】
【発明が解決しようとする課題】
【０００６】
アンテナは、一般的にスタンピング／エッチング技法によって作成されるＲＦＩＤタグの要素であり、フォイルマスタが切り取られて、最終的な構造が作成される。たとえば、各ＲＦＩＤチップは、導電性フィルムに特定の共振構造セットをエッチングすることによって符号化される。これらの構造が、広帯域質問パルスに応答する反射または再照射パルスを観測することによって読み取られるデータを符号化するために使用することができる周波数依存アンテナ負荷を生成する。このプロセスは、現在では、費用のかかるプロセスであるレーザエッチングによって各チップが個々に作成されなければならないことを要求することによって、そのようなタグのコストを増大させる。
【０００７】
「ボトムアップ」からの特有のスペクトルシグネチャを有するカスタマイズＲＦＩＤアンテナを印刷するための代替的な手法が試行されている。そのような方法は、導電金属インクを使用して基板上に直に印刷することを含む。インクジェット印刷は、容易に、構造体を印刷するために単独で使用することができ、かつ／または、他のプロセスおよび機械と統合することができるため、この目的のための１つの可能性のある技術として認識されている。たとえば、ハイブリッド印刷技術は、ＲＦＩＤアンテナのワイヤセグメントを印刷するために使用することができるアナログ印刷プロセス（オフセットリソグラフィ、フレキソ印刷、エッチング、および活版印刷）と、ワイヤセグメントを相互接続するための導電性インクを印刷するためのデジタル印刷プロセス（インクジェット印刷など）とを組み合わせる。しかしながら、インクジェット印刷は、インクジェット印字ヘッドの分解能が不十分であるため、また、インクジェット印字ヘッドによって形成される導電性材料のパターンが、結果として、様々な相互接続性の印刷構造を不均一にしてしまい、これはＲＦＩＤ構造にとって許容不可能であるため、カスタマイズＲＦＩＤアンテナを印刷するには信頼できないことが分かっている。加えて、カスタマイズＲＦＩＤを安価に印刷するためには、インクの導電性粒子も安価でなければならない。しかしながら、そのような粒子は通常、粒子サイズが様々な低コストの低伝導性材料であり、これは、印刷構造の全体的な相互接続性に影響を及ぼす。他方、小さい粒径を有する導電性インク粒子、均一な粒径を有する導電性インク粒子、ならびに／または金および銀のような高伝導性材料から作成される導電性インク粒子は高価であり、このことにより、安価なカスタマイズＲＦＩＤタグを提供するのに使用可能でない。
【０００８】
したがって、インクジェット印字ヘッドは、個々の共振構造を「ボトムアップ」から符号化するために必要なスケールにおいてインクをパターン化するのに適していない。結果として、ＲＦＩＤアンテナを印刷するためのインクジェット技術は、上述したリソグラフィスタンピング／エッチング技法で全体を完成させることはできないが、リソグラフィスタンピング／エッチングプロセスは、そうするにはレーザ切断ステップが必要になるため、カスタマイズタグを作成するのに使用するには効率的でなく、高価になり得る。したがって、カスタマイズＲＦＩＤタグを作製するための従来のものに対する、より低コストでより効率的な代替形態が加わることが、当該技術分野において期待されている。
【課題を解決するための手段】
【０００９】
一実施形態において、チップレスＲＦＩＤタグをリアルタイムで符号化するための方法が存在する。方法は、チップレスＲＦＩＤトランスポンダを暴露するステップを含み、ＲＦＩＤトランスポンダは、アンテナと、複数の共振構造とを備え、複数の共振構造は、ともに第１のスペクトルシグネチャを規定する。複数の共振構造の各々は、それぞれの周波数領域を含む。方法は、少なくとも１つの共振構造を短絡させるために、少なくとも１つの共振構造上に導電性材料を堆積させるステップをも含む。複数の共振構造のうち、導電性材料によって短絡されない残りの共振構造は、ＲＦＩＤトランスポンダの第２のスペクトルシグネチャを規定する。
【００１０】
別の実施形態において、在庫を追跡する方法が存在する。方法は、チップレスＲＦＩＤトランスポンダを製品上に配置するステップを含む。ＲＦＩＤトランスポンダは、ともに第１のスペクトルシグネチャを規定する複数の共振構造を備え、複数の共振構造の各々は、それぞれの周波数領域を含む。方法はまた、少なくとも１つの共振構造を短絡させるために、少なくとも１つの共振構造上に導電性インクを堆積させるステップをも含み、複数の共振構造のうちの、導電性インクによって短絡されない残りの共振構造は、ＲＦＩＤトランスポンダの第２のスペクトルシグネチャを規定する。
【００１１】
また別の実施形態において、在庫を追跡する方法が存在する。方法は、チップレスＲＦＩＤトランスポンダを提供するステップであって、ＲＦＩＤトランスポンダは、ともに第１のスペクトルシグネチャを規定する複数の共振構造を備え、複数の共振構造の各々は、それぞれの周波数領域を含む、提供するステップと、少なくとも１つの共振構造を短絡させるために、少なくとも１つの共振構造上に導電性インクを堆積させるステップであって、複数の共振構造のうちの、導電性インクによって短絡されない残りの共振構造は、ＲＦＩＤトランスポンダの第２のスペクトルシグネチャを規定する、堆積させるステップと、導電性材料が堆積された後に、ＲＦＩＤトランスポンダを製品上に配置するステップとを含む。
【００１２】
また別の実施形態において、チップレスＲＦＩＤトランスポンダが存在し、チップレスＲＦＩＤトランスポンダは、ともにＲＦＩＤトランスポンダのスペクトルシグネチャを規定する複数の共振構造であって、複数の共振構造の各々は、それぞれの周波数領域を含む、複数の共振構造と、少なくとも１つの共振構造上に堆積されている導電性インクであって、導電性インクは少なくとも１つの共振構造を短絡させ、ＲＦＩＤのスペクトルシグネチャは、短絡された共振構造の自然周波数からシフトされる、導電性インクとを備える。
【００１３】
さらにまた別の実施形態において、在庫を追跡する方法が存在する。方法は、チップレスＲＦＩＤトランスポンダを提供するステップであって、ＲＦＩＤトランスポンダは、ともに第１のスペクトルシグネチャを規定する複数の共振構造を備え、複数の共振構造の各々は、それぞれの周波数領域を含む、提供するステップと、少なくとも１つの共振構造を短絡させるために、少なくとも１つの共振構造上に導電性インクを堆積させるステップであって、複数の共振構造のうちの、導電性インクによって短絡されない残りの共振構造は、ＲＦＩＤトランスポンダの第２のスペクトルシグネチャを規定する、堆積させるステップと、ＲＦＩＤトランスポンダを製品上に配置するステップと、導電性材料が堆積された後に、ＲＦＩＤトランスポンダで製品をタグ付けするステップとを含んでもよい。
【００１４】
別の実施形態において、チップレスＲＦＩＤトランスポンダが存在し、チップレスＲＦＩＤトランスポンダは、ともにＲＦＩＤトランスポンダのスペクトルシグネチャを規定する複数の共振構造であって、複数の共振構造の各々は、それぞれの周波数領域を含む、複数の共振構造と、少なくとも１つの共振構造上に堆積されている導電性インクであって、導電性インクは少なくとも１つの共振構造を短絡させ、ＲＦＩＤのスペクトルシグネチャは、短絡された共振構造の自然周波数からシフトされる、導電性インクとを備える。
【００１５】
別の実施形態において、ＲＦＩＤトランスポンダの少なくとも１つの共振構造上に導電性材料を堆積させるためのプリンタと、プリンタと通信している少なくとも１つのコントローラとを備える、製品識別システムが存在し、コントローラは、データおよび命令を記憶するための少なくとも１つのメモリと、少なくとも１つのメモリにアクセスし、命令を実行するように構成されている少なくとも１つのプロセッサとを備え、命令は、少なくとも１つのメモリから識別データを取り出すことであって、識別データは、製品の識別情報に対応する、取り出すことと、チップレスＲＦＩＤトランスポンダの設計データを取り出すことであって、設計データは、チップレスＲＦＩＤトランスポンダの複数の共振構造の各々に対応する周波数領域情報を含む、取り出すことと、識別データおよび設計データに基づいてコードを生成することと、スペクトルシグネチャをコードと関連付けることと、設計データから、複数の共振構造のいずれがともにスペクトルシグネチャを規定するか、および、複数の共振構造のいずれがスペクトルシグネチャに寄与しないかを識別することによって、パターンデータを生成することと、ＲＦＩＤトランスポンダの少なくとも１つの共振構造がスペクトルシグネチャ外の領域に周波数シフトされるように、導電性材料がＲＦＩＤトランスポンダの少なくとも１つの共振構造を短絡させるように、パターンデータに従って導電性材料を堆積させるためにプリンタを起動することとを含む。
【００１６】
別の実施形態において、汎用ＲＦＩＤトランスポンダをカスタマイズするための方法が存在する。方法は、汎用ＲＦＩＤトランスポンダの少なくとも１つの共振構造を導電性材料に暴露するステップと、少なくとも１つの共振構造上に導電性材料を堆積させることによって、ＲＦＩＤトランスポンダの少なくとも１つの共振構造の共振を変化させるステップとを含み、変化させるステップは、共振構造の共振が第１の共振から第２の共振へとシフトするように、共振構造を電気的に短絡させるステップを含む。
【００１７】
実施形態の追加の利点が、部分的に以下の説明に記載され、部分的に以下の説明から理解されることになり、または、実施形態の実践によって学習され得る。それらの利点は、添付の特許請求の範囲において特に指摘されている要素および組み合わせによって実現および獲得される。
【００１８】
上記の全般的な説明および以下の詳細な説明は例示であり、説明に過ぎず、特許請求されているものとしての実施形態を限定しないことが理解されよう。
【００１９】
本明細書に組み込まれ、その一部分を構成する添付の図面は、本開示の実施形態を示し、本明細書とともに、本開示の原理を説明する役割を果たす。
【図面の簡単な説明】
【００２０】
【図１】図１は、第１のスペクトルシグネチャを有するチップレスＲＦＩＤトランスポンダを示す図である。
【図２】図２は、少なくとも１つの共振構造上に堆積され、当該共振構造を短絡させる導電性材料によって第２のスペクトルシグネチャを有するように改変されている図１のチップレスＲＦＩＤトランスポンダを示す図である。
【図３Ａ】図３Ａは、キャリア上に配置されている図２のチップレスＲＦＩＤトランスポンダを示す図である。
【図３Ｂ】図３Ｂは、キャリアと被覆層との間に配置されている図２のチップレスＲＦＩＤトランスポンダを示す図である。
【図４】図４は、製品識別システムの一部分としてのプリンタおよびコントローラを示す図である。
【図５Ａ】図５Ａは、一実施形態のチップレスＲＦＩＤタグを符号化するための方法の処理ステップを示す図である。
【図５Ｂ】図５Ｂは、一実施形態のチップレスＲＦＩＤタグを符号化するための方法の処理ステップを示す図である。
【図５Ｃ】図５Ｃは、一実施形態のチップレスＲＦＩＤタグを符号化するための方法の処理ステップを示す図である。
【図６Ａ】図６Ａは、図５Ａの処理ステップの上面図である。
【図６Ｂ】図６Ｂは、図５Ｂの処理ステップの上面図である。
【図６Ｃ】図６Ｃは、図５Ｃの処理ステップの上面図である。
【発明を実施するための形態】
【００２１】
ここで、本発明の実施形態を詳細に参照する。当該実施形態の例は、添付の図面に示されている。可能性があればどこであっても、同じ参照符号は図面全体を通じて同じまたは同様の部分を指すために使用される。図面に示されている構造は、単純にするために図示されていない追加の特徴を含んでもよく、一方で、図示されている構造が除去または改変されてもよい。
【００２２】
実施形態の広い範囲を表記している数値範囲およびパラメータは近似であるが、特定の例において表記されている数値は可能な限り正確に報告されている。しかしながら、任意の数値は本質的に、それらのそれぞれの試験測定値に見られる標準偏差から必然的にもたらされる一定の誤差を含む。その上、本明細書において開示されている全ての範囲は、その範囲内に含まれる、あらゆる部分範囲を包含するものと理解されるべきである。たとえば、「１０未満」の範囲は、０の最小値と１０の最大値の間の（およびそれらを含む）あらゆる部分範囲、すなわち、０以上の最小値および１０以下の最大値を有するあらゆる部分範囲、たとえば、１〜５を含むことができる。特定の事例において、パラメータについて記述されているような数値は、負の値をとることができる。この事例において、「１０未満」として記述されている範囲の例示的な値は、負の値、たとえば、−１、−２、−３、−１０、−２０、−３０などを想定することができる。
【００２３】
以下の実施形態は、図面を参照して例示のみを目的として説明される。以下の説明は本質的に例示であること、および、本発明の範囲から逸脱することなく、本明細書において表記されているパラメータに対する様々な改変を行うことができることが、当業者には諒解されよう。本明細書および実施例は例としてのみ考慮されることが意図されている。いくつかの実施形態は、新たな実施形態を形成するために１つまたは複数の他の実施形態と組み合わせることができるため、様々な実施形態は必ずしも相互に排他的ではない。
【００２４】
本明細書において使用される場合、ＲＦＩＤトランスポンダを説明するために本明細書において使用されているものとしての「チップレス」という用語は、ＲＦＩＤトランスポンダが、集積回路も、トランジスタまたはコイルのような個別の電子構成要素も有しないことを意味する。
【００２５】
本明細書において使用される場合、「共振構造」という用語は、特性周波数に対応する関連する共振を有する構造を意味する。
【００２６】
本明細書において使用される場合、「スペクトルシグネチャ」という用語は、加えられる励起周波数と関連する少なくとも１つの識別共振を指す。スペクトルシグネチャは、少なくとも１つの振幅成分および少なくとも１つの位相成分を有することができる。
【００２７】
本明細書において使用される場合、「タグ」という用語は、トランスポンダ、または、トランスポンダと、トランスポンダがその上に配置されるキャリアとの組み合わせを指す。タグは製品に取り付けることができる。
【００２８】
本明細書において使用される場合、「トランスポンダ」という用語は、質問機によって送信されるもののような信号を受信し、受信信号に応答して信号を送信するデバイスを指す。
【００２９】
本明細書において使用される場合、「エッチングされた（ｅｔｃｈｅｄ）」という用語は、一般的にフォトリソグラフィにおいて使用される、それによって材料の部分が化学的に除去されるプロセスを指す。
【００３０】
本明細書において使用される場合、「安全被覆層」という用語は、干渉を受けると、安全被覆層が配置されている構造を損傷、破壊または他の様態で改変するバッキング層を意味する。
【００３１】
本明細書において使用される場合、「汎用ＲＦＩＤトランスポンダ」という用語は、質問機のような送信機によって加えられる各周波数領域に対する関連する共振構造を有するＲＦＩＤトランスポンダを意味する。
【００３２】
カスタマイズＲＦＩＤタグを作製するための、従来技術の分解能問題を解決するよりコストの低い代替的なプロセスは、複数の同一のＲＦＩＤトランスポンダを提供することによって開始する。これらの同一のトランスポンダは、対応するＲＦＩＤ読み取り機によって明瞭に分解することができる全ての波長間隔に対して１つの共振構造を含む。このとき、トランスポンダの１つまたは複数の共振構造は、１つまたは複数の共振構造の上に堆積される導電性インクを使用し、導電性インクを乾燥させて共振構造を短絡させる薄膜を形成することによって短絡することができる。導電性材料は、米国特許第８，３２４，２９４号明細書において開示されている導電性インクのような、現行の技術水準において既知であるような導電性インクを含んでもよい。一実施形態において、導電性材料は、金属ナノ粒子を含むインク組成物を含んでもよく、金属ナノ粒子は、銀ナノ粒子を含んでもよい。ナノ粒子は、インク組成物の総重量のうちの約１０〜約８５重量パーセント、または、インク組成物の総重量のうちの約２０〜約６０重量パーセントの量で存在してもよい。「金属ナノ粒子」において使用されているものとして「ナノ」という用語は、たとえば、例として約０．５ｎｍ〜約１，０００ｎｍ、約１ｎｍ〜約５００ｎｍ、約１ｎｍ〜約１００ｎｍ、約１ｎｍ〜約２５ｎｍまたは約１〜約１０ｎｍのような、約１，０００ｎｍ未満の粒子サイズを指す。粒子サイズは、ＴＥＭ（透過電子顕微鏡法）または他の適切な方法によって判定されるものとしての、金属粒子の平均径を指す。概して、本明細書において説明されているプロセスから得られる金属ナノ粒子においては、複数の粒子サイズが存在し得る。実施形態において、サイズの異なる金属含有ナノ粒子が存在することは許容可能である。同様の組成物が既知であり、銅、アルミニウム、銀または金のような少なくとも１つの本質的に高伝導性の材料を含むいくつかの導電性材料を利用してもよい。実施形態の導電性材料は、導電性インク組成物中に含まれ得る導電性ポリマーを含んでもよい。他の導電性材料としては、サーマルリボンから転写される層および導電性塗料の薄膜を含む導電性薄層のような、任意の導電性薄膜が挙げられる。共振構造を短絡することによってその自然周波数が周波数シフトし、これが質問および分析の範囲から取り除かれる。例示的なシステムにおいて、プリンタ、たとえば、インクジェットプリンタのような堆積システムと関連付けられるコントローラが、汎用ＲＦＩＤトランスポンダ上で符号化されるべきコードを生成し、当該コードを、印刷コントローラからの識別情報と関連付け、たとえば、インクジェットまたは同様の印刷ステーションを使用して導電性インクのような導電性材料を複数の共振構造のうちの選択される共振構造に塗布することによって、その情報をＲＦＩＤタグ上に符号化する。そのような方法は、低コストリソグラフィ技法の使用が、ＲＦＩＤアンテナの製造に適用されることを可能にし、インクジェット印刷のような低コスト堆積技法が、高分解能の堆積パターンを必要とすることなく、導電性材料を堆積させることを可能にし、それによって、全体的な製造コストが低減する。これは、いくつかのＲＦＩＤトランスポンダに必要とされる線幅均一性が±２．５μｍであり、利用可能なインクジェットプリンタを用いて達成可能であるよりも５〜１０倍良好であるためである。したがって、本明細書における実施形態は、たとえば、ＲＦＩＤトランスポンダの共振構造のうちの選択される共振構造を短絡するように導電性薄膜のパターンを印刷することによって、既存のＲＦＩＤトランスポンダを改変することによって、この問題を解決する。共振構造を短絡させることは、「ボトムアップ」からの共振構造の作成が他の様態では必要とする線幅均一性を必要としないため、導電性インクのパターンを印刷するための１つの方法は、従来のインクジェットプリンタを使用して、導電性材料を選択される共振構造上に噴霧することができる。
【００３３】
図１は、チップレスＲＦＩＤトランスポンダ１００の図である。一実施形態において、チップレスＲＦＩＤトランスポンダは、国際公開第２００９／１２６９９９号パンフレットに記載されているようなものであってよい。ＲＦＩＤトランスポンダは、リソグラフィ、エッチング／スタンピングなどによって形成されてもよい。たとえば、トランスポンダのスペクトルシグネチャを生成する役割を担う、ＲＦＩＤトランスポンダの要素は、各々または独立してエッチング構造として形成されてもよい。ＲＦＩＤトランスポンダ１００はまた、導電性インクベースのチップレスＲＦＩＤトランスポンダであってもよく、少なくとも１つの共振構造を含む全ての構成要素は、導電性インクの、インクジェット印刷などの印刷を含む、導電性材料の薄膜のパターン化によって形成される。
【００３４】
ＲＦＩＤトランスポンダ１００は、受信アンテナ１０２および送信アンテナ１０３のような少なくとも１つのアンテナを含む。アンテナ１０２および１０３は、ともにＲＦＩＤトランスポンダのスペクトルシグネチャを規定する複数の共振構造１０４ａ〜１０４ｄを含む回路の一部分として組み込むことができる。たとえば、複数の共振構造１０４ａ〜１０４ｄの各々は、それぞれの共振を呈し得る。共振は、他の要因の中でも、対応する共振構造の幾何構造に応じて決まる自然周波数と関連付けられる。したがって、複数の共振構造１０４ａ〜１０４ｄの各々は、単一ビットの情報の独立した符号化に使用することができる。共振構造は、図１に示すもののようなスパイラル共振器であってもよく、または、限定ではないが、蛇行形状およびフラクタル形状共振構造のような他の共振構造から選択されてもよい。
【００３５】
各々が特定の共振周波数を有するいずれか１つの共振構造１０４ａ〜１０４ｄが存在する結果として、ＲＦＩＤトランスポンダ１００全体の応答において、その周波数における対応する減衰がもたらされる。したがって、各共振構造１０４ａ〜１０４ｄの存否が、特定の特性周波数および位相応答を有する対応する共振の存否を決定付け、これを、たとえば、１ビットのデジタル情報を符号化するために使用することができる。
【００３６】
図２は、一実施形態のチップレスＲＦＩＤトランスポンダ２００の図である。ＲＦＩＤトランスポンダ２００は、ＲＦＩＤトランスポンダ１００が改変されたバージョンであってもよい。たとえば、ＲＦＩＤ２００は加えて、共振構造１０４ａ〜１０４ｄのうちの少なくとも１つの上に配置されている導電性材料を含む。言い換えれば、ＲＦＩＤトランスポンダ２００は、受信アンテナ１０２および送信アンテナ１０３のような少なくとも１つのアンテナを含む。アンテナ１０２および１０３は、ともにＲＦＩＤトランスポンダ２００のスペクトルシグネチャを規定する複数の共振構造１０４ａ〜１０４ｄを含む回路の一部分として組み込むことができる。加えて、ＲＦＩＤトランスポンダ２００は、共振構造１０４ａおよび１０４ｃについて示されているような、少なくとも１つの共振構造上に配置されている導電性材料１０５を含む。共振構造１０４ａ上の導電性材料１０５は、共振構造１０４ｃ上の導電性材料１０５と同じであってもよく、または異なっていてもよい。加えて、導電性材料１０５は、共振構造１０４ａ〜１０４ｄの材料と同じであってもよく、または異なっていてもよく、アンテナ１０２および１０３の材料と同じであってもよく、または異なっていてもよい。
【００３７】
導電性材料１０５は最初に、たとえば、インクジェットプリンタのようなプリンタによって導電性インクとして堆積することができる。したがって、導電性材料は、所定のパターンで堆積することができる。一実施形態において、導電性材料は、１つまたは複数の共振構造１０４ａ〜１０４ｄの少なくとも一部分を被覆するための薄膜として堆積される。
【００３８】
少なくとも１つの共振構造上に堆積される導電性材料１０５は、対応するその下の共振構造（複数可）を短絡させ、それによって、共振構造（複数可）の共振応答を「オフ」にし、または、少なくとも、共振構造（複数可）の自然周波数をシフトさせる役割を果たす。言い換えれば、導電性インクのような導電性材料は、ＲＦＩＤトランスポンダのスペクトル応答を、短絡共振構造（複数可）の自然周波数からシフトさせる。したがって、導電性材料を所定のパターンで堆積させることによって、１つまたは複数の共振構造を、導電性材料によって短絡することができる。
【００３９】
導電性材料を堆積することは、導電性材料１０５’によって被覆されている共振構造１０４ｃについて示されているように、少なくとも１つの共振構造を導電性材料で完全に被覆することを含んでもよい。そのような実施形態において、導電性材料１０５’は、共振構造の幾何構造だけでなく、幾何構造の全ての間隙空間をも被覆する。一態様において、導電性材料は、共振構造を、少なくとも１つの共振構造の自然周波数をシフトさせるのに十分なだけ被覆する。たとえば、少なくとも１つの共振構造上に堆積される導電性材料は、共振構造の自然周波数を、マイクロ波検出の外部の周波数にシフトさせる。一実施形態において、導電性材料は、少なくとも１つの共振構造が電磁共振を有しないように堆積される。したがって、一実施形態において、導電性材料が堆積された後、少なくとも１つの共振構造は、トランスポンダ２００の第２のスペクトルシグネチャに寄与しない。
【００４０】
少なくとも１つの共振構造上に導電性材料を堆積させるのに加えて、少なくとも１つの共振構造の部分が除去され得る。たとえば、共振構造１０４ａの、導電性材料１０５によって被覆されていない部分が除去され得る。一実施形態において、少なくとも１つの共振構造の、導電性材料によって被覆されていない少なくとも一部分は、機械的切断またはレーザ切断によって除去することができる。事実、共振構造の、導電性材料が堆積されるべきである少なくとも一部分１０６は、導電性材料が堆積される前に除去することができる。いくつかの実施形態において、ＲＦＩＤトランスポンダ内の共振構造のいくつかは、破壊されるか、または、他の様態でレーザ切断による検出のために使用不可能にされてもよく、一方で、他の共振構造は導電性インクによって短絡されてもよく、一方でまた他の共振構造は、レーザ切断されるとともに、導電性インクによって短絡もされてもよい。いくつかの実施形態において、共振構造のいくつかは、導電性材料によって部分的に被覆されてもよく、他の共振構造は、それらの共振を、マイクロ波検出の外部の共振にシフトするように実質的に完全に被覆されるか、または、電磁共振がないなど、共振がなくなるようにシフトされるように、完全に被覆されてもよい。
【００４１】
図３Ａに示すように、トランスポンダ２００は、製品上に直に、または、製品に取り付けるための中間接着バッキング上のように、キャリア３０１上に配置されてもよい。キャリア３０１は、ＲＦＩＤトランスポンダが最初にその上に作製される基板であってもよく、または、ＲＦＩＤトランスポンダが作製された後にそれが転写されるキャリアであってもよい。接着バッキングキャリア３０１はＲＦＩＤトランスポンダが、製品上に容易に取り付け（すなわち、タグ付け）されることを可能にする。加えて、１つまたは複数の共振構造の上に堆積された導電性材料によってその自然周波数応答から改変されているＲＦＩＤトランスポンダがさらに操作されることを防止するために、安全被覆層３０３が、ＲＦＩＤトランスポンダの上に配置されてもよい。
【００４２】
一実施形態において、１つまたは複数の同一のＲＦＩＤトランスポンダが、キャリア上に施与されてもよい。ＲＦＩＤタグは、各周波数領域について共振構造が存在することによって、全て同一のコード化を有してもよい。たとえば、同一のＲＦＩＤトランスポンダは、ＲＦＩＤトランスポンダ１００のような、第１の周波数応答を有する従来のＲＦＩＤトランスポンダであってもよい。図４に示すように、その後、ＲＦＩＤトランスポンダ１００の各々が、たとえば、導電性材料１０５、たとえば、導電性インクまたは薄膜を所定のパターンで堆積させることが可能であるインクジェット印字ヘッド４０１または同様の書き込みヘッドを有するプリンタ４００によってさらに処理されてもよい。上述したように、堆積された導電性材料１０５は、１つまたは複数の共振構造を選択的に短絡させることができ、それによって、結果として、上述したような、第２の周波数応答を有するＲＦＩＤトランスポンダ２００が形成される。すなわち、短絡されると、印字ヘッド４０１によって導電性インクが堆積される共振構造（複数可）は、質問パルスの範囲外の領域に周波数シフトされ、したがって、ＲＦＩＤトランスポンダを製品上にタグ付けした後、またはその直前に１または０として符号化される。
【００４３】
プリンタ４００は、製品識別システムとともに使用するために組み込まれ得る。製品識別システムは、少なくとも１つのプリンタと、プリンタ４００と通信４０２している少なくとも１つのコントローラ４０３とを含むことができる。コントローラは、データおよび命令を記憶するための少なくとも１つのメモリ４０５と、少なくとも１つのメモリにアクセスし、命令を実行するように構成されている少なくとも１つのプロセッサとを含むことができる。命令は、少なくとも１つのメモリから識別データを取り出すことであって、識別データは、製品の識別情報に対応する、取り出すことと、チップレスＲＦＩＤトランスポンダの設計データを取り出すことであって、設計データは、ＲＦＩＤ１００のもののようなチップレスＲＦＩＤトランスポンダの複数の共振構造の各々に対応する周波数領域情報を含む、取り出すことと、識別データおよび設計データに基づいてコードを生成することと、スペクトルシグネチャをコードと関連付けることと、設計データから、ＲＦＩＤ１００の複数の共振構造のいずれがともにスペクトルシグネチャを規定するか、および、ＲＦＩＤ１００の複数の共振構造のいずれがスペクトルシグネチャに寄与しないかを識別することによって、パターンデータを生成することと、ＲＦＩＤトランスポンダ２００を形成するためにＲＦＩＤトランスポンダの少なくとも１つの共振構造がスペクトルシグネチャの外部の領域に周波数シフトされるように、および、導電性材料がＲＦＩＤトランスポンダの少なくとも１つの共振構造を短絡させるように、パターンデータに従って導電性材料１０５のような導電性材料を堆積させるためにプリンタ、たとえば、プリンタ４００の印字ヘッド４０１を起動することとを含む。
【００４４】
図５Ａ〜図５Ｃは、チップレスＲＦＩＤタグを、たとえば、リアルタイムで符号化するための方法を示す。図６Ａ〜図６Ｃは、それぞれ図５Ａ〜図５Ｃの上面図である。本方法において、チップレスＲＦＩＤトランスポンダ１００は、図５Ａおよび図６Ａに示すように提供される。ＲＦＩＤトランスポンダは、キャリア３０１上に提供され得る。ＲＦＩＤトランスポンダは、上述したＲＦＩＤトランスポンダ１００について説明されたように構成されてもよい。言い換えれば、ＲＦＩＤトランスポンダは、アンテナと、複数の共振構造とを備える。方法は、図５Ａおよび図６Ａにおいて、少なくとも１つの共振構造を短絡させてＲＦＩＤトランスポンダ２００を形成するために、少なくとも１つの共振構造上に導電性材料１０５を堆積させることによって継続する。導電性材料１０５は、インクジェット印字ヘッド４０１から噴霧パターン１０５’によってなどで所定のパターンに従って少なくとも１つの共振構造上に堆積される導電性インクであってもよい。代替的に、導電性材料１０５は、薄膜として堆積されてもよい。いくつかの実施形態において、導電性材料は、熱転写、ゼログラフィまたはスクリーン印刷によって堆積されてもよい。
【００４５】
ＲＦＩＤトランスポンダ１００内の複数の共振構造は、ともに第１のスペクトルシグネチャを規定する。すなわち、複数の共振構造の各々は、それぞれの周波数領域を含む。少なくとも１つの共振構造上に導電性材料を堆積させることによって、たとえば、少なくとも１つの共振構造の自然周波数を、質問機が読み取ることが可能でないものであり得る別の周波数にシフトさせることによって、ＲＦＩＤトランスポンダの第１のスペクトルシグネチャが変化する。すなわち、ＲＦＩＤトランスポンダ２００内の複数の共振構造のうちの、導電性材料によって短絡されない残りの共振構造が、ＲＦＩＤトランスポンダの第２のスペクトルシグネチャを規定し、第２のスペクトルシグネチャは、第１のスペクトルシグネチャとは異なり得る。第１のスペクトルシグネチャは、質問パルスに対する第１の吸収範囲を含み得、第２のスペクトルシグネチャは、質問パルスに対する第２の吸収範囲を含み得る。加えて、図５Ｃおよび図６Ｃに示すように、安全被覆層３０３のような被覆層が、ＲＦＩＤトランスポンダ３００の上およびキャリア３０１の上に追加されてもよい。被覆層３０３は、非導電性で、耐摩耗性であってもよい。
【００４６】
キャリア３０１と被覆層３０３との間に配置されてもよいＲＦＩＤトランスポンダ２００は、製品上に配置され得る。しかしながら、キャリア３０１の上に配置されるのみ（すなわち、被覆層３０３なし）であってもよいＲＦＩＤトランスポンダ１００が、最初に製品上に配置されてもよく、その後、その少なくとも１つの共振構造の上に導電性材料が加えられ、その後、被覆層３０３が加えられてもよい。言い換えればＲＦＩＤトランスポンダ２００は、製品上に配置されながらその場で形成されてもよい。
【００４７】
要約すると、本明細書において説明されている実施形態は、ＲＦＩＤタグのコストを下げ、複雑度を低減し、ＲＦＩＤタグが所与の製品と関連付けられるプロセスの信頼性を向上させる。
【図１】
2020098628.tif 000003
【図２】
2020098628.tif 000004
【図３Ａ】
2020098628.tif 000005
【図３Ｂ】
2020098628.tif 000006
【図４】
2020098628.tif 000007
【図５Ａ】
2020098628.tif 000008
【図５Ｂ】
2020098628.tif 000009
【図５Ｃ】
2020098628.tif 000010
【図６Ａ】
2020098628.tif 000011
【図６Ｂ】
2020098628.tif 000012
【図６Ｃ】
2020098628.tif 000013
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
在庫を追跡する方法であって、
チップレスＲＦＩＤトランスポンダを製品上に配置するステップであり、前記ＲＦＩＤトランスポンダは、
ともに第１のスペクトルシグネチャを規定する複数の共振構造を備え、前記複数の共振構造の各々は、それぞれの周波数領域を含む、配置するステップと、
その後、少なくとも１つの前記共振構造を短絡させるために、前記少なくとも１つの前記共振構造上に導電性インクを堆積させるステップであって、前記複数の共振構造のうちの、前記導電性インクによって短絡されない残りの前記共振構造は、前記ＲＦＩＤトランスポンダの第２のスペクトルシグネチャを規定する、堆積させるステップと、
を含み、
前記堆積させるステップは、インクジェット印字ヘッドから前記少なくとも１つの共振構造上に前記導電性インクを噴出するステップを含む、方法。
【請求項２】
さらに、前記ＲＦＩＤトランスポンダのスペクトル応答を検出するステップを含む、請求項１に記載の方法。
【請求項３】
検出するステップは、質問機によって放出された少なくとも１つの質問パルスを投与するステップを含み、前記少なくとも１つの質問パルスはスペクトル範囲を有する、請求項２に記載の方法。
【請求項４】
前記少なくとも１つの共振構造上に前記導電性インクを堆積させるステップは、前記少なくとも１つの共振構造を、前記少なくとも１つの質問パルスの前記スペクトル範囲外の領域に周波数シフトする、請求項３に記載の方法。
【請求項５】
さらに、前記導電性インクを堆積させる前に、前記ＲＦＩＤトランスポンダで製品をタグ付けするステップを含む、請求項１に記載の方法。
【請求項６】
前記導電性インクはキャリアに分散された粒子を含み、前記粒子は、銅又はアルミニウムから選択される少なくとも１つの材料を含む、請求項１に記載の方法。
【請求項７】
在庫を追跡する方法であって、
チップレスＲＦＩＤトランスポンダを提供するステップであり、前記ＲＦＩＤトランスポンダは、
ともに第１のスペクトルシグネチャを規定する複数の共振構造を備え、前記複数の共振構造の各々は、それぞれの周波数領域を含む、提供するステップと、
少なくとも１つの前記共振構造を短絡させるために、前記少なくとも１つの前記共振構造上に導電性材料を堆積させるステップであって、前記複数の共振構造のうちの、前記導電性材料によって短絡されない残りの前記共振構造は、前記ＲＦＩＤトランスポンダの第２のスペクトルシグネチャを規定する、堆積させるステップと、
前記ＲＦＩＤトランスポンダを製品上に配置するステップと、
前記導電性材料が堆積された後に、前記ＲＦＩＤトランスポンダを製品上に配置するステップと、
を含み、
前記導電性材料は導電性インクを含み、前記堆積させるステップはインクジェット印字ヘッドから前記少なくとも１つの共振構造上に導電性インクを噴出するステップを含む、方法。
【請求項８】
前記導電性材料は導電性薄膜を含む、請求項７に記載の方法。
【請求項９】
堆積された前記導電性材料は、前記少なくとも１つの共振構造上に薄膜を形成する、請求項７に記載の方法。
【請求項１０】
前記導電性材料は、導電性インクを含み、前記導電性インクは、キャリアに分散された粒子を含み、前記粒子は銅又はアルミニウムから選択される少なくとも１つの材料を含む、請求項７に記載の方法。